(57)【要約】  トランスポートネットワークを介して第１のユーザネットワークから第２のユーザネットワークへ伝送されるユーザデータの伝送を保護するための方法が開示される。ユーザデータは、最大伝送レートを有する。この方法は、トランスポートネットワークにおいて、障害がない状態で、最大伝送レートに等しい総キャパシティを有する第１および第２のパスを提供することと、第１のパスに沿ってユーザデータの第１の部分を、第２のパスに沿ってユーザデータの第２の部分を伝送することと、トランスポートネットワークと連携しているネットワーク管理サーバにおいて、第２の部分の伝送に影響を及ぼす障害を検出することと、ネットワーク管理サーバにおいて、第１のパスのキャパシティを最大伝送レートまで増大するようにトランスポートネットワークを動作させることによって障害のない状態から障害状態へ切り替えることと、第１のユーザネットワークにおいて、第１のパスのみに沿ってユーザデータを伝送することとを含む。
2012526436.tif 000002
【特許請求の範囲】
【請求項１】
トランスポートネットワーク（ＴＮ、ＴＮ’）を介して第１のユーザネットワーク（ＵＮ１）から第２のユーザネットワーク（ＵＮ２）へ伝送されるユーザデータ（ＵＤ）の伝送を保護するための方法であって、前記ユーザデータ（ＵＤ）が最大伝送レート（Ｃ）を有し、
ａ）前記トランスポートネットワーク（ＴＮ、ＴＮ’）において、障害のない状態では、前記第１のユーザネットワーク（ＵＮ１）を前記第２のユーザネットワーク（ＵＮ２）と接続する第１のパス（Ｐ１）および第２のパス（Ｐ２）を提供し、前記第１のパスおよび前記第２のパスが前記最大伝送レート（Ｃ）に等しい総キャパシティを有するステップと、
ｂ）前記第１のパス（Ｐ１）に沿って前記ユーザデータ（ＵＤ）の第１の部分（ＵＤ１）を伝送し、前記第２のパス（Ｐ２）に沿って前記ユーザデータ（ＵＤ）の第２の部分（ＵＤ２）を伝送するステップと、
ｃ）前記トランスポートネットワーク（ＴＮ、ＴＮ’）と連携しているネットワーク管理サーバ（ＭＧＲ）において、前記第２の部分（ＵＤ２）の伝送に影響を及ぼす障害（Ｆ）を検出するステップと、
ｄ）前記ネットワーク管理サーバ（ＭＧＲ）において、前記障害（Ｆ）を前記検出することに応じて、前記第１のパス（Ｐ１）のキャパシティを前記最大伝送レート（Ｃ）に増大するように前記トランスポートネットワーク（ＴＮ、ＴＮ’）を動作させることによって、前記障害のない状態から障害状態へ切り替えるステップと、
ｅ）前記第１のユーザネットワーク（ＵＮ１）において、前記第１のパス（Ｐ１）のみに沿って前記ユーザデータ（ＵＤ）を伝送するステップと
を含む、方法。
【請求項２】
前記ステップａ）が、前記トランスポートネットワーク（ＴＮ、ＴＮ’）によって実装されるバーチャルコンカチネーション技術によって、第１の数のデータコンテナ（ＤＣ１）を前記第１のパス（Ｐ１）に、前記第２の数のデータコンテナ（ＤＣ２）を前記第２のパス（Ｐ２）に割り当てるステップを含む、請求項１に記載の方法。
【請求項３】
前記ステップｄ）が、前記トランスポートネットワーク（ＴＮ、ＴＮ’）によって実装実行されるリンクキャパシティ調整スキームを動作させることによって前記第１の数のデータコンテナ（ＤＣ１）を増大するステップを含む、請求項２に記載の方法。
【請求項４】
前記ステップｃ）が、前記ネットワーク管理サーバ（ＭＧＲ）で前記トランスポートネットワーク（ＴＮ、ＴＮ’）から、前記障害（Ｆ）を示す管理メッセージ（ＡＭ）を受信するステップを含む、請求項１から３のいずれかに記載の方法。
【請求項５】
前記ステップｃ）の後、前記障害（Ｆ）が前記第２のパス（Ｐ２）で発生する場合、前記トランスポートネットワーク（ＴＮ’）が自動的に切り替えられるトランスポートネットワークである場合、前記障害（Ｆ）を迂回するパス部分を割り当てるために前記トランスポートネットワーク（ＴＮ’）の自動切替機能を使用することをさらに含む、請求項１から４のいずれかに記載の方法。
【請求項６】
前記ステップｂ）が、前記第１のユーザネットワーク（ＵＮ１）において等コストマルチパスルーティング機能を実装し、前記第１の部分（ＵＤ１）が前記第１のユーザネットワーク（ＵＮ１）の第１のエッジネットワーク要素（ＮＥ１−１）を介して前記第１のパス（Ｐ１）へ伝送され、前記第２の部分（ＵＤ２）が前記第１のユーザネットワーク（ＵＮ１）の第２のエッジネットワーク要素（ＮＥ１−２）を介して前記第２のパス（Ｐ２）へ伝送されることを含む、請求項１から５のいずれかに記載の方法。
【請求項７】
前記第１のユーザネットワーク（ＵＮ１）が、前記等コストマルチパスルーティング機能によって、前記ステップｄ）に応じて前記ステップｅ）を自動的に行う、請求項６に記載の方法。
【請求項８】
トランスポートネットワーク（ＴＮ、ＴＮ’）および前記トランスポートネットワーク（ＴＮ、ＴＮ’）と連携しているネットワーク管理サーバ（ＭＧＲ）を含むトランスポートシステム（ＴＳ、ＴＳ’）であって、前記トランスポートネットワーク（ＴＮ、ＴＮ’）が第１のユーザネットワーク（ＵＮ１）を第２のユーザネットワーク（ＵＮ２）と接続するのに好適であり、
前記トランスポートネットワーク（ＴＮ、ＴＮ’）が、前記第１のユーザネットワーク（ＵＮ１）を前記第２のユーザネットワーク（ＵＮ２）と接続するように構成された第１のパス（Ｐ１）および第２のパス（Ｐ２）を有し、
障害のない状態では、前記第１のパス（Ｐ１）が、ユーザデータ（ＵＤ）の第１の部分（ＵＤ１）の伝送をサポートするのに好適であり、前記第２のパス（Ｐ２）が、ユーザデータ（ＵＤ）の第２の部分（ＵＤ２）の伝送をサポートするのに好適であり、前記第１のパス（Ｐ１）および前記第２のパス（Ｐ２）が、前記ユーザデータ（ＵＤ）の最大伝送レート（Ｃ）に等しい総キャパシティを有し、
前記ネットワーク管理サーバ（ＭＧＲ）が、前記第２の部分（ＵＤ２）の伝送に影響を及ぼす障害（Ｆ）を検出し、前記検出に応じて、前記第１のパス（Ｐ１）のキャパシティを前記最大伝送レート（Ｃ）まで増大するように前記トランスポートネットワーク（ＴＮ、ＴＮ’）を動作させることによって前記障害のない状態から障害状態へ切り替え、それによって前記第１のパス（Ｐ１）が前記ユーザデータ（ＵＤ）すべての伝送をサポートできるように構成された、
トランスポートシステム（ＴＳ、ＴＳ’）。
【請求項９】
前記トランスポートネットワーク（ＴＮ、ＴＮ’）が、バーチャルコンカチネーション技術を実装し、前記第１のパス（Ｐ１）に第１の数のデータコンテナ（ＤＣ１）を、前記第２のパス（Ｐ２）に第２の数のデータコンテナ（ＤＣ２）を割り当てるために前記バーチャルコンカチネーション技術を使用するように構成された、請求項８に記載のトランスポートシステム（ＴＳ、ＴＳ’）。
【請求項１０】
前記トランスポートネットワーク（ＴＮ、ＴＮ’）が、リンクキャパシティ調整スキームを実装するように構成され、前記ネットワーク管理サーバ（ＭＧＲ）が、前記データコンテナ（ＤＣ１）の第１の数を増大することによって前記第１のパス（Ｐ１）のキャパシティを増大するために、前記リンクキャパシティ調整スキームを動作させるように構成された、請求項９に記載のトランスポートシステム（ＴＳ、ＴＳ’）。
【請求項１１】
前記ネットワーク管理サーバ（ＭＧＲ）が、前記トランスポートネットワーク（ＴＮ、ＴＮ’）から前記障害（Ｆ）を示す管理メッセージ（ＡＭ）を受信することによって、前記障害（Ｆ）を検出するように構成された、請求項８から１０のいずれかに記載のトランスポートシステム（ＴＳ、ＴＳ’）。
【請求項１２】
前記障害（Ｆ）が、前記第２のパス（Ｐ２）で発生する場合、前記トランスポートネットワーク（ＴＮ’）が、前記障害（Ｆ）を迂回するパス部分を割り当てるために自動切替機能を使用するように構成された自動切替トランスポートネットワークである、請求項８から１１のいずれかに記載のトランスポートシステム（ＴＳ、ＴＳ’）。
【請求項１３】
第１のユーザネットワーク（ＵＮ１）と、第２のユーザネットワーク（ＵＮ２）と、トランスポートネットワーク（ＴＮ、ＴＮ’）および前記トランスポートネットワーク（ＴＮ、ＴＮ’）と連携しているネットワーク管理サーバ（ＮＭＳ）を備えるトランスポートシステム（ＴＳ、ＴＳ’）とを含む通信システムであって、前記トランスポートネットワーク（ＴＮ、ＴＮ’）が前記第１のユーザネットワーク（ＵＮ１）を第２のユーザネットワーク（ＵＮ２）と接続し、前記トランスポートシステム（ＴＳ、ＴＳ’）が、請求項８から１２のいずれかによる、通信システム（ＣＳ、ＣＳ’）。
【請求項１４】
前記第１のユーザネットワーク（ＵＮ１）が、等コストマルチパスルーティング機能を実装し、したがって前記第１の部分（ＵＤ１）が、前記第１のユーザネットワーク（ＵＮ１）の第１のエッジネットワーク要素（ＮＥ１−１）を介して前記第１のパス（Ｐ１）へ伝送され、前記第２の部分（ＵＤ２）が前記第１のユーザネットワーク（ＵＮ１）の第２のエッジネットワーク要素（ＮＥ１−２）を介して前記第２のパス（Ｐ２）へ伝送されるように構成された、請求項１３に記載の通信システム（ＣＳ、ＣＳ’）。
【請求項１５】
前記第１のユーザ（ＵＮ１）が、前記第１のパス（Ｐ１）のキャパシティを前記増大することに応じて、前記等コストマルチパスルーティング機能によって前記第１のパス（Ｐ１）に沿ってのみ前記ユーザデータ（ＵＤ）を自動的に伝送し始めるように構成された、請求項１４に記載の通信システム（ＣＳ、ＣＳ’）。
【発明の詳細な説明】
【技術分野】
【０００１】
本発明は、通信ネットワークの分野に関し、詳細には、トランスポートネットワークを介したユーザデータ伝送の保護に関する。
【背景技術】
【０００２】
通信ネットワークは、様々な通信サービスに関連するデータをトランスポートするために相互に接続されたいくつかのネットワーク要素を含むことが知られている。通信ネットワークは、回線交換ネットワーク、またはパケット交換ネットワークであることが可能である。
【０００３】
回線交換ネットワークでは、データは一般にデータコンテナに構成された連続的なデータフローの形式で、あらかじめ定義されたパスに沿ってトランスポートされる。例示的な回線交換ネットワークはＳＤＨ（Ｓｙｎｃｈｒｏｎｏｕｓ  Ｄｉｇｉｔａｌ  Ｈｉｅｒａｒｃｈｙ）ネットワーク、ＳＯＮＥＴ（Ｓｙｎｃｈｒｏｎｏｕｓ  Ｏｐｔｉｃａｌ  ＮＥＴｗｏｒｋ）、およびＯＴＮ（Ｏｐｔｉｃａｌ  Ｔｒａｎｓｐｏｒｔ  Ｎｅｔｗｏｒｋ）である。ＳＤＨ／ＳＯＮＥＴネットワークおよびＯＴＮネットワークでは、階層構造により構成される、異なるタイプのデータコンテナが提供される。例えば、ＳＤＨ／ＳＯＮＥＴネットワークでは、低次バーチャルコンテナおよび高次バーチャルコンテナは、異なるタイプのデータコンテナである。他方、ＯＴＮネットワークでは、光チャネルペイロードユニット（ＯＰＵ）および光データユニット（ＯＤＵ）は、異なるタイプのデータコンテナである。
【０００４】
回線交換ネットワークでは、一般にパスは、ネットワーク要素を適切に構成することによって、オペレータにより手動で確立される。パスを変更するには、ネットワーク要素の構成を手動で変えることが必要である。しかしながら、最近になって、パスを自律的に確立し変更する能力を有する、（ＡＳＴＮ、すなわちＡｕｔｏｍａｔｉｃ  Ｓｗｉｔｃｈｅｄ  Ｔｒａｎｓｐｏｒｔ  Ｎｅｔｗｏｒｋと呼ばれる）回線交換ネットワークが開発された。ネットワークで変化が起きる場合（例えば、ネットワーク要素がネットワークに追加される、もしくはネットワークから削除される、またはネットワークに障害が発生するなど）、このような回線交換ネットワークは、このような変化を考慮に入れて、オペレータによる手動の介入を必要とせずに、パスを自動的に変更することができる。
【０００５】
パケット交換ネットワークでは、伝送されるデータは、一般にパケットに分割され、各パケットが独立してネットワーク要素によって送信元から宛先へルーティングされる。例示的パケット交換ネットワークは、イーサネットネットワーク、ＩＰ（インターネットプロトコル）ネットワーク、およびＡＴＭ（非同期転送モード）ネットワークである。
【０００６】
通信システムは、回線交換ネットワークとして実装されたトランスポートネットワーク、およびトランスポートネットワークに接続されたユーザネットワークを含むことができ、各ユーザネットワークがパケット交換ネットワークとして実装される。この例示的通信システムでは、トランスポートネットワークはそれぞれのユーザネットワークのインタフェース（略称「ＵＮＩ」）によって、各ユーザネットワークに接続される。
【０００７】
トランスポートネットワークにわたってパケットの形式でユーザデータの伝送を可能にするために、関連するユーザネットワークから受信されたユーザデータは、各ＵＮＩで適切にカプセル化され、その後トランスポートネットワークによりサポートされるいくつかのデータコンテナにマップされることが可能であり、このデータコンテナがその後トランスポートネットワークへ伝送される。同様に、トランスポートネットワークからデータコンテナを受信する各ＵＮＩは、その中にマップされたユーザデータを抜き出し、その後ユーザデータを関連するユーザネットワークに伝送する。例えば、ユーザネットワークがイーサネットネットワークであり、トランスポートネットワークがＳＤＨ／ＳＯＮＥＴネットワークである場合、このようなイーサネットネットワークによって他のイーサネットネットワークと交換されるイーサネットパケットは、ＧＦＰ（Ｇｅｎｅｒｉｃ  Ｆｒａｍｉｎｇ  Ｐｒｏｃｅｄｕｒｅ）技術によってカプセル化され、その後いくつかの高次バーチャルコンテナまたは低次バーチャルコンテナにマップされることが可能である。例えば、ユーザネットワークがイーサネットネットワークであって、トランスポートネットワークがＯＴＮネットワークである場合、このようなイーサネットネットワークによって他のイーサネットネットワークと交換されるイーサネットパケットは、いくつかのＯＰＵまたはＯＤＵにマップされることが可能である。
【０００８】
一般にトランスポートネットワークのオペレータは、所与のユーザに対して、このようなユーザによって交換されるユーザデータをトランスポートするために予約されたいくつかのデータコンテナを割り当てる。データコンテナは、異なる基準に従って割り当てられることが可能である。例えば、ＳＤＨ／ＳＯＮＥＴネットワークおよびＯＴＮネットワークでは、連続コンカチネーションおよびバーチャルコンカチネーション（略して「ＶＣＡＴ」）という２つの技術が知られている。ＳＤＨ／ＳＯＮＥＴネットワークを参照することによって、連続コンカチネーション技術により、同じ管理ユニットのすべての高次バーチャルコンテナおよび低次バーチャルコンテナは、同じユーザに割り当てられる。ＶＣＡＴ技術によれば、各ユーザは、単一のバーチャルコンカチネーショングループを形成するが、必ずしも同じ管理ユニットに属していないいくつかの高次バーチャルコンテナまたは低次バーチャルコンテナを割り当てている。ＶＣＡＴ技術により、バーチャルコンカチネーショングループの高次バーチャルコンテナおよび低次バーチャルコンテナの数は、ユーザのトラフィック特性およびトランスポートネットワークの状態により、知られているリンクキャパシティ調整スキーム（略して「ＬＣＡＳ」）によって動的に変更されることが可能である。
【０００９】
トランスポートネットワーク、トランスポートネットワークによって接続された第１のユーザネットワークおよび第２のユーザネットワークを有する通信システムでは、第１のユーザネットワークと第２のユーザネットワークとの間で交換されるユーザデータは、一般に次のようにトランスポートネットワークにおいて発生する障害から守られる。
【００１０】
第１のユーザネットワークは、それぞれのＵＮＩによってトランスポートネットワークに接続された一対のエッジネットワーク要素を有する。同様に、第２のユーザネットワークは、それぞれのＵＮＩによってトランスポートネットワークに接続された一対のエッジネットワーク要素を有する。トランスポートネットワークを横断する一対のパスが、第１のユーザネットワークの一対のエッジネットワーク要素を第２のユーザネットワークの一対のエッジネットワーク要素と接続する。
【００１１】
一般に、対の各パスは、交換中のユーザデータの最大伝送レートに等しいキャパシティを有する。例えば、ＳＤＨ／ＳＯＮＥＴネットワークを介したイーサネットパケットトランスポートの上述の場合では、イーサネットパケットの最大伝送レートが８．９６Ｇｂｉｔ／ｓである場合、２つのパスは、各々が８．９６Ｇｂｉｔ／ｓのキャパシティを有するＳＤＨ／ＳＯＮＥＴネットワークに割り当てられる。これは、例えば、第１のパスに６４個の高次バーチャルコンテナＶＣ−４を、第２のパスに６４個の高次バーチャルコンテナＶＣ−４を割り当てることによって達成されることが可能であり、単一の高次バーチャルコンテナＶＣ−４の伝送レートは１４０Ｍｂｉｔ／ｓである。通常動作中は、６４個の高次バーチャルコンテナＶＣ−４のみが使用される。例えば、第１のパスは十分に使用されることが可能であるが、第２のパスは使用されないことが可能である。代替的には、ＥＣＭＰ（「Ｅｑｕａｌ−ｃｏｓｔ  ｍｕｌｔｉ−ｐａｔｈ  ｒｏｕｔｉｎｇ（等コストマルチパスルーティング）」）が使用されることができ、２つのパスの間でイーサネットトラフィックの伝送を共有できるようにする。例えば、イーサネットパケットは、第１のパスの３２個の高次バーチャルコンテナＶＣ−４（残りの３２個の高次バーチャルコンテナＶＣ−４は使用されない）、および第２のパスの３２個の高次バーチャルコンテナＶＣ−４（残りの３２個の高次バーチャルコンテナＶＣ−４は使用されない）によってトランスポートされることが可能である。
【００１２】
トランスポートネットワークで障害が発生して、使用されているリソースの少なくとも一部を利用できないようになると、ユーザデータは使用されていないリソースへ経路変更される。例えば、イーサネットパケットが第１のパスの３２個の高次バーチャルコンテナＶＣ−４および第２のパスの３２個の高次バーチャルコンテナＶＣ−４によっておランスポートされる上述の場合では、第１のパスで障害が発生すると、イーサネットパケットは、上述のように、６４個の高次バーチャルコンテナＶＣ−４を割り当てた第２のパスへ経路変更され、したがってすべてのイーサネットパケットの伝送をサポートすることができる。
【００１３】
出願人は、トランスポートネットワークにおけるユーザデータの伝送を保護するための上述の解決法にはいくつかの欠点があることに気付いた。実際には、このような解決法は不都合なことに、ユーザデータの最大伝送レートの２倍のリソースの総量を割り当てる必要があり、障害のない場合には、ユーザデータをトランスポートするためにこのように割り当てられたリソースの半分しか使用しないので、トランスポートネットワークにおいてリソースの非効率的使用を含意する。言い換えれば、障害のない場合に、割り当てられたリソースの５０％が、不都合なことに使用されない。
【発明の概要】
【発明が解決しようとする課題】
【００１４】
したがって、本発明の一目的は、前述の欠点を克服する、すなわちトランスポートネットワークのリソースをより効率的な方法で使用できるようにする、トランスポートネットワークを介してユーザデータの伝送を保護するための方法を提供することである。
【課題を解決するための手段】
【００１５】
第１の態様によれば、本発明は、トランスポートネットワークを介して第１のユーザネットワークから第２のユーザネットワークへ伝送されるユーザデータの伝送を保護するための方法を提供し、ユーザデータは最大伝送レートを有し、この方法は、
ａ）トランスポートネットワークにおいて、障害のない状態では、第１のユーザネットワークを第２のユーザネットワークと接続する第１のパスおよび第２のパスを提供し、第１のパスおよび第２のパスが最大伝送レートに等しい総キャパシティを有することと、
ｂ）第１のパスに沿ってユーザデータの第１の部分を伝送し、第２のパスに沿ってユーザデータの第２の部分を伝送することと、
ｃ）トランスポートネットワークと連携しているネットワーク管理サーバで、第２の部分の伝送に影響を及ぼす障害を検出することと、
ｄ）ネットワーク管理サーバで、第１のパスのキャパシティを最大伝送レートまで増大するようにトランスポートネットワークを動作させることによって、障害のない状態から障害状態へ切り替えることと、
ｅ）第１のユーザネットワークにおいて、第１のパスのみに沿ってユーザデータを伝送することと
を含む。
【００１６】
好ましくは、ステップａ）は、トランスポートネットワークによって実装されるバーチャルコンカチネーション技術によって、第１の数のデータコンテナを第１のパスに、第２の数のデータコンテナを第２のパスに割り当てることを含む。
【００１７】
好ましくは、ステップｄ）は、トランスポートネットワークによって実装されるリンクキャパシティ調整スキームを動作させることによって、データコンテナの第１の数を増大することを含む。
【００１８】
好ましくは、ステップｃ）は、ネットワーク管理サーバで、障害を示している管理メッセージをトランスポートネットワークから受信することを含む。
【００１９】
好ましくは、ステップｃ）の後に、この方法は、トランスポートネットワークが自動切替トランスポートネットワークである場合、第２のパスで障害が発生すれば、障害を迂回するパス部分を割り当てるためにトランスポートネットワークの自動切替機能を使用することをさらに含む。
【００２０】
好ましくは、ステップｂ）は、第１のユーザネットワークにおいて等コストマルチパスルーティング機能を実装し、第１の部分が第１のユーザネットワークの第１のエッジネットワーク要素を介して第１のパスに、第２の部分が第１のユーザネットワークの第２のエッジネットワーク要素を介して第２のパスに伝送されることを含む。
【００２１】
好ましくは、第１のユーザネットワークは、等コストマルチパスルーティング機能によって、ステップｄ）に反応してステップｅ）を自動的に行う。
【００２２】
第２の態様によれば、本発明は、トランスポートネットワークと、トランスポートネットワークと連携しているネットワーク管理サーバとを含むトランスポートシステムを提供し、トランスポートネットワークは第１のユーザネットワークおよび第２のユーザネットワークを接続するように構成され、
トランスポートネットワークは、第１のユーザネットワークを第２のユーザネットワークと接続するように構成された第１のパスおよび第２のパスを有し、
障害のない状態では、第１のパスはユーザデータの第１の部分の伝送をサポートするのに好適であり、第２のパスはユーザデータの第２の部分の伝送をサポートするのに好適であり、第１のパスおよび第２のパスは、ユーザデータの最大伝送レートに等しい総キャパシティを有し、
ネットワーク管理サーバは、第２の部分の伝送に影響を及ぼす障害を検出し、検出に応じて、第１のパスのキャパシティを最大伝送レートに増大し、それによって第１のパスがすべてのユーザデータの伝送をサポートできるようにトランスポートネットワークを動作させることによって、障害のない状態から障害状態へ切り替えるように構成される。
【００２３】
好ましくは、トランスポートネットワークは、バーチャルコンカチネーション技術を実装し、第１のパスに第１の数のデータコンテナを、第２のパスに第２の数のデータコンテナを割り当てるためにバーチャルコンカチネーション技術を使用するように構成される。
【００２４】
好ましくは、トランスポートネットワークは、リンクキャパシティ調整スキームを実装するように構成され、ネットワーク管理サーバは、データコンテナの第１の数を増大することによって第１のパスのキャパシティを増大するためにリンクキャパシティ調整スキームを動作させるように構成される。
【００２５】
好ましくは、ネットワーク管理サーバは、障害を示している管理メッセージをトランスポートネットワークから受信することによって障害を検出するように構成される。
【００２６】
好ましくは、トランスポートネットワークは、第２のパスで障害が発生すると、障害を迂回するパス部分を割り当てるために自動切替機能を使用するように構成された自動切替トランスポートネットワークである。
【００２７】
第３の態様によれば、本発明は、第１のユーザネットワークと、第２のユーザネットワークと、トランスポートシステムとを含む通信システムを提供し、トランスポートシステムは、トランスポートネットワークと、トランスポートネットワークと連携しているネットワーク管理サーバとを含み、トランスポートネットワークは第１のユーザネットワークを第２のユーザネットワークと接続し、トランスポートシステムは上記のものである。
【００２８】
好ましくは、第１のユーザネットワークは、等コストマルチパスルーティング機能を実装するように構成され、したがって第１の部分が第１のユーザネットワークの第１のエッジネットワーク要素を介して第１のパスに伝送され、第２の部分が第１のユーザネットワークの第２のエッジネットワーク要素を介して第２のパスに伝送される。
【００２９】
好ましくは、第１のユーザネットワークは、第１のパスのキャパシティを増大することに応じて、等コストマルチパスルーティング機能によって第１のパスに沿ってのみユーザデータを自動的に伝送し始めるように構成される。
【００３０】
本発明の実施形態は、例として、限定ではなく与えられ、添付の図面を参照して解釈される次の詳細な説明を読むことによってよりよく理解されるであろう。
【図面の簡単な説明】
【００３１】
【図１ａ】例示的通信システムに適用される、本発明の第１の実施形態による方法のステップを示す図である。
【図１ｂ】例示的通信システムに適用される、本発明の第１の実施形態による方法のステップを示す図である。
【図１ｃ】例示的通信システムに適用される、本発明の第１の実施形態による方法のステップを示す図である。
【図１ｄ】例示的通信システムに適用される、本発明の第１の実施形態による方法のステップを示す図である。
【図２ａ】第１の障害シナリオにおいて、例示的通信システムに適用される、本発明の第２の実施形態による方法のステップを示す図である。
【図２ｂ】第１の障害シナリオにおいて、例示的通信システムに適用される、本発明の第２の実施形態による方法のステップを示す図である。
【図２ｃ】第１の障害シナリオにおいて、例示的通信システムに適用される、本発明の第２の実施形態による方法のステップを示す図である。
【図２ｄ】第１の障害シナリオにおいて、例示的通信システムに適用される、本発明の第２の実施形態による方法のステップを示す図である。
【図３ａ】第２の障害シナリオにおいて、例示的通信システムに適用される、本発明の第２の実施形態による方法のステップを示す図である。
【図３ｂ】第２の障害シナリオにおいて、例示的通信システムに適用される、本発明の第２の実施形態による方法のステップを示す図である。
【図３ｃ】第２の障害シナリオにおいて、例示的通信システムに適用される、本発明の第２の実施形態による方法のステップを示す図である。
【図３ｄ】第２の障害シナリオにおいて、例示的通信システムに適用される、本発明の第２の実施形態による方法のステップを示す図である。
【発明を実施するための形態】
【００３２】
図１ａから１ｄは、本発明の第１の実施形態によるユーザデータの伝送を保護するための方法を実装することができる通信システムＣＳを示す。
【００３３】
通信システムＣＳは、トランスポートシステムＴＳと、第１のユーザネットワークＵＮ１と、第２のユーザネットワークＵＮ２とを含む。トランスポートシステムＴＳは、トランスポートネットワークＴＮと、トランスポートネットワークＴＮと連携しているネットワーク管理サーバＭＧＲを含む。第１のユーザネットワークＵＮ１は、トランスポートネットワークＴＮによって第２のユーザネットワークＵＮ２に接続される。
【００３４】
トランスポートネットワークＴＮは、例えばＳＤＨネットワーク、ＳＯＮＥＴネットワーク、ＯＴＮネットワークなどの回線交換ネットワークであることが好ましい。第１のユーザネットワークＵＮ１および第２のユーザネットワークＵＮ２は、例えばイーサネット、ＩＰ、ＡＴＭなど、同じタイプのパケット交換ネットワークであることが好ましい。
【００３５】
第１のユーザネットワークＵＮ１は、好ましくはいくつかのネットワーク要素を含む。簡単にするために、図１ａから１ｄでは、３つのネットワーク要素のみ、すなわちネットワーク要素ＮＥ１−１、ＮＥ１−２、およびＮＥ１−３を示している。好ましくは、ネットワーク要素ＮＥ１−３は、ネットワーク要素ＮＥ１−１とＮＥ１−２の両方に接続される。ネットワーク要素ＮＥ１−１およびＮＥ１−２は、簡単にするために図には示していないそれぞれのＵＮＩによってトランスポートネットワークＴＮに接続される。ネットワーク要素ＮＥ１−１およびＮＥ１−２は、このとき第１のユーザネットワークＵＮ１のエッジネットワーク要素である。
【００３６】
同様に、第２のユーザネットワークＵＮ２は、好ましくはいくつかのネットワーク要素を含む。簡単にするために、図１ａから１ｄでは、３つのネットワーク要素のみ、すなわちネットワーク要素ＮＥ２−１、ＮＥ２−２、およびＮＥ２−３を示している。好ましくは、ネットワーク要素ＮＥ２−３は、ネットワーク要素ＮＥ２−１とＮＥ２−２の両方に接続される。ネットワーク要素ＮＥ２−１およびＮＥ２−２は、簡単にするために図には示していないＵＮＩによってトランスポートネットワークＴＮに接続される。ネットワーク要素ＮＥ２−１およびＮＥ２−２は、このとき第２のユーザネットワークＵＮ２のエッジネットワーク要素である。
【００３７】
トランスポートネットワークＴＮは、好ましくはいくつかのネットワーク要素と、ネットワーク要素間のリンクとを含む。しかしながら、トランスポートネットワークＴＮの詳細な構造は、図中には示していない。トランスポートネットワークＴＮがＳＤＨ／ＳＯＮＥＴネットワークまたはＯＴＮネットワークである場合、トランスポートネットワークＴＮのエッジネットワーク要素（図面には示さず）は、好ましくは上述のＬＣＡＳ機構を用いて上述のＶＣＡＴ技術を実装するように構成される。
【００３８】
以下に、本発明の第１の実施形態により通信システムＣＳに適用されるユーザデータの伝送を保護するための方法について詳細に説明する。このために、最大転送レートＣを有するユーザデータＵＤが、第１のユーザネットワークＵＮ１内で生成され、トランスポートネットワークＴＮを介して第２のユーザネットワークＵＮ２へ保護された方法で伝送されなければならないと仮定する。
【００３９】
この第１の実施形態によれば、障害のない状態では、第１のパスＰ１および第２のパスＰ２がユーザデータＵＤをトランスポートするためにトランスポートネットワークＴＮにおいて割り当てられる。第１のパスＰ１および第２のパスＰ２は、ネットワーク管理サーバＭＧＲによって計算されることが可能である。あるいは、トランスポートネットワークがＡＳＴＮネットワークである場合、第１のパスＰ１および第２のパスＰ２は、トランスポートネットワークＴＮのすべてのネットワーク要素で実装された好適なＧＭＰＬＳ（「Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ」）機構によって計算されることが可能である。
【００４０】
第１のパスＰ１は、第１のユーザネットワークＵＮ１のエッジネットワーク要素ＮＥ１−１と第２のユーザネットワークＵＮ２のエッジネットワーク要素ＮＥ２−１を接続し、第２のパスＰ２は、第１のユーザネットワークＵＮ１のエッジネットワーク要素ＮＥ１−２と第２のユーザネットワークＵＮ２のエッジネットワーク要素ＮＥ２−２を接続する。第１のパスＰ１および第２のパスＰ２は、ネットワーク要素と、トランスポートネットワークＴＮのリンクとを含む。しかしながら、図面を明確にするために、第１のパスＰ１および第２のパスＰ２の詳細な構造は示されていない。
【００４１】
好ましくは、第１のパスＰ１に、ユーザデータＵＤの最大伝送レートＣの半分に等しい総キャパシティＣ／２を有する、いくつかのデータコンテナＤＣ１が割り当てられる。同様に、第２のパスＰ２に、ユーザデータＵＤの最大伝送レートＣの半分に等しい総キャパシティＣ／２を有する、いくつかのデータコンテナＤＣ２が割り当てられる。トランスポートネットワークＴＮがＳＤＨ／ＳＯＮＥＴネットワーク（上述のように、データコンテナは高次もしくは低次バーチャルコンテナである）またはＯＴＮネットワーク（データコンテナがＯＰＵおよびＯＤＵである）である場合、好ましくは、上述のＶＣＡＴ技術を使用することによって各パスにデータコンテナが割り当てられる。言い換えれば、第１のパスＰ１に割り当てられるデータコンテナは、同じバーチャルコンカチネーショングループの一部であり、第２のパスＰ２に割り当てられるデータコンテナは、同じバーチャルコンカチネーショングループの一部である。
【００４２】
例えば、トランスポートネットワークＴＮがＳＤＨ／ＳＯＮＥＴ網であって、最大伝送レートＣが８．９６Ｇｂｉｔ／ｓである場合、第１のパスＰ１と第２のパスＰ２の両方に、３２個の高次バーチャルコンテナＶＣ−４が割り当てられ、各パスＰ１、Ｐ２に４．４８Ｇｂｉｔ／ｓのキャパシティＣ／２を提供する。
【００４３】
第１のパスＰ１および第２のパスＰ２が割り当てられた後、障害のない状態で、ユーザデータＵＤは、第１のパスＰ１および第２のパスＰ２を使用することによって第１のユーザネットワークＵＮ１から第２のユーザネットワークＵＮ２へ伝送される。より詳細には、図１ａを参照することにより、ユーザデータＵＤは、ネットワーク要素ＮＥ１−３によって第１のユーザネットワークＵＮ１内で集められる。ネットワーク要素ＮＥ１−３は、好ましくは上述のＥＣＭＰ機構を実装し、したがってユーザデータＵＤを第１のデータ部分ＵＤ１と第２のデータ部分ＵＤ２に分割する。第１のデータ部分ＵＤ１と第２のデータ部分ＵＤ２の両方が、好ましくは、Ｃ／２（すなわち、ユーザデータＵＤの最大伝送レートＣの半分）に等しい最大伝送レートを有する。その後、ネットワーク要素ＮＥ１−３は、図１ａに示すように、第１のデータ部分ＵＤ１をエッジネットワーク要素ＮＥ１−１に、第２のデータ部分ＵＤ２をエッジネットワーク要素ＮＥ１−２に伝送する。
【００４４】
エッジネットワーク要素ＮＥ１−１は第１のデータ部分ＵＤ１をそのＵＮＩ（図１ａには示さず）に転送し、ＵＮＩがこれをカプセル化し、第１のパスＰ１に割り当てられたデータコンテナＤＣ１にこれをマップする。割り当てられたデータコンテナＤＣ１は、第１のデータ部分ＵＤ１のデータで部分的に満たされるだけである可能性があることに注意されたい。実際には、ユーザデータＵＤの実際の伝送レートが最大伝送レートＣよりも低いとき、第１のデータ部分ＵＤ１の実際の伝送レートもまた、第１のパスＰ１のキャパシティＣ／２よりも低くなると思われる。
【００４５】
第１のデータ部分ＵＤ１を割り当てられたデータコンテナＤＣ１にマップした後、エッジネットワーク要素ＮＥ１−１は、図１ａに示すように、トランスポートネットワークＴＮを介して第１のパスＰ１に沿って第２のユーザネットワークＵＮ２に向けて、詳細にはそのエッジネットワーク要素Ｎ２−１へデータコンテナＤＣ１を伝送する。
【００４６】
エッジネットワーク要素ＮＥ１−２がネットワーク要素ＮＥ１−３から第２のデータ部分ＵＤ２を受信するとき、好ましくは、第２のデータ部分ＵＤ２をそのＵＮＩ（図１ａには示さず）に転送し、ＵＮＩがこれをカプセル化し、第２のパスＰ２に割り当てられたデータコンテナＤＣ２にこれをマップする。
【００４７】
第２のデータ部分ＵＤ２を割り当てられたデータコンテナＤＣ２にマップした後、エッジネットワーク要素ＮＥ１−２は、図１ａに示すように、トランスポートネットワークＴＮを介して第２のパスＰ２に沿って第２のユーザネットワークＵＮ２に向けて、詳細にはそのエッジネットワーク要素Ｎ２−２へデータコンテナＤＣ２を伝送する。
【００４８】
第２のユーザネットワークＵＮ２では、エッジネットワーク要素ＮＥ２−１は、そのＵＮＩ（図１ａには示さず）によって第１のパスＰ１からデータコンテナＤＣ１を受信し、そこから第１のデータ部分ＵＤ１を取り出し、第１のデータ部分ＵＤ１をネットワーク要素ＮＥ２−３に転送する。同様に、エッジネットワーク要素ＮＥ２−２は、そのＵＮＩ（図１ａには示さず）によって第２のパスＰ２からデータコンテナＤＣ２を受信し、そこから第２のデータ部分ＵＤ２を取り出し、第２のデータ部分ＵＤ２をネットワーク要素ＮＥ２−３に転送する。ネットワーク要素ＮＥ２−３は、その後第１のデータ部分ＵＤ１と第２のデータ部分ＵＤ２をマージし、それによってユーザデータＵＤを回復する。ネットワーク要素ＮＥ２−３は、その後第２のユーザネットワークＵＮ２の他のネットワーク要素（図には示さず）に、その宛先に従ってユーザデータＵＤを転送する。
【００４９】
ここで、通信システムＣＳに障害が発生すると仮定する。例えば、このような障害は、第１のパスＰ１および第２のパスＰ２のうちの１つ、または第１のユーザネットワークＵＮ１のエッジネットワーク要素ＮＥ１−１、ＮＥ１−２のうちの１つ、または第２のユーザネットワークＵＮ２のエッジネットワーク要素ＮＥ２−１、ＮＥ２−２のうちの１つ、またはネットワーク要素ＮＥ１−３を第１のユーザネットワークＵＮ１のエッジネットワーク要素ＮＥ１−１、ＮＥ１−２に接続しているリンクのうちの１つ、またはネットワーク要素ＮＥ２−３を第２のユーザネットワークＵＮ２のエッジネットワーク要素ＮＥ２−１、ＮＥ２−２に接続しているリンクのうちの１つに影響を及ぼす可能性がある。
【００５０】
以下、例として、第２のパスＰ２に障害Ｆが発生すると仮定する。例えば、第２のパスＰ２を形成するトランスポートネットワークＴＮのリンクの１つが機能しなくなる。この例示の状況が図１ｂに示してある。障害Ｆにより、第２のパスＰ２に沿ったデータコンテナＤＣ２の伝送は、障害Ｆの上流で遮断される。
【００５１】
障害ＦがトランスポートネットワークＴＮ内で（一般には、第２のパスＰ２に沿った障害Ｆの下流のネットワーク要素によって）検出されるとき、トランスポートネットワークＴＮは、好ましくはネットワーク管理サーバＭＧＲに障害を通知する。このために、障害Ｆを検出するネットワーク要素は、好ましくは図１ｂに示すように、ネットワーク管理サーバＭＧＲに警告メッセージＡＭを送信する。警告メッセージＡＭは、好ましくは、例えばＳＮＭＰ（Ｓｉｍｐｌｅ  Ｎｅｔｗｏｒｋ  Ｍａｎａｇｅｍｅｎｔ  Ｐｒｏｔｏｃｏｌ）／ＱＢ３のような管理プロトコルに従ってフォーマットされる。
【００５２】
トランスポートネットワークＴＮから警告メッセージＡＭを受信すると、ネットワーク管理サーバＭＧＲは、好ましくは、第１のパスＰ１のキャパシティをその現在のキャパシティＣ／２からユーザデータＵＤの最大伝送レートＣへ増大するようにトランスポートネットワークＴＮを動作させることによって、すなわち第１のパスＰ１に割り当てられるデータコンテナＤＣ１の数を２倍にすることによって、障害のない状態から障害状態へ切り替える。好ましくは、トランスポートネットワークＴＮがＳＤＨ／ＳＯＮＥＴネットワークまたはＯＴＮネットワークであり、第１のパスＰ１上のデータコンテナＤＣ１が上述のＶＣＡＴ技術（ＬＣＡＳ機構も実装する）によって割り当てられている場合、ネットワーク管理サーバＭＧＲは、好ましくは、トランスポートネットワークＴＮのエッジネットワーク要素によって実行されるＬＣＡＳ機構を適切に動作させることによって、第１のパスＰ１に割り当てられるデータコンテナＤＣ１の数を２倍にするようトランスポートネットワークＴＮを誘導する。したがって、例えば最大伝送レートＣが８．９６Ｇｂｉｔ／ｓであり、３２個の高次バーチャルコンテナＶＣ−４が第１のパスＰ１と第２のパスＰ２（各パスに４．４８Ｇｂｉｔ／ｓのキャパシティＣ／２を与える）に割り当てられる場合、ネットワーク管理サーバＭＧＲは、第１のパスＰ１に割り当てられた高次バーチャルコンテナＶＣ−４の数を、３２個から６４個に上げるためにＬＣＡＳ機構を動作させる。これにより、２倍のキャパシティＣ、すなわち８．９６Ｇｂｉｔ／ｓを有する第１のパスを提供できるようにする。
【００５３】
次いで、第１のパスＰ１のキャパシティが増大された後、障害状態では、第１のユーザネットワークＵＮ１のネットワーク要素ＮＥ１−３に実装されたＥＣＭＰ機構は、第１のユーザネットワークＵＮ１の他のネットワーク要素から集められたすべてのユーザトラフィックＵＤを、エッジネットワーク要素ＮＥ１−１、すなわち障害Ｆによって影響を受けていないパスに接続されたエッジネットワーク要素に転送するように、ネットワーク要素ＮＥ１−３を誘導する。
【００５４】
したがって、有利には、ネットワーク管理サーバＭＧＲの介入後、障害状態では、第１のユーザネットワークＵＮ１のネットワーク要素ＮＥ１−３で集められたユーザデータＵＤは、図１ｃに示すように、すべてネットワーク要素ＮＥ１−１に転送され、ネットワーク要素ＮＥ１−１がこれを第１のパスＰ１に沿って伝送する。第１のパスＰ１は、このとき、ユーザデータＵＤの実際の伝送レートが最大伝送レートＣに等しいときでも、全ユーザデータＵＤの伝送をサポートすることができる。したがって、第２のパスＰ２上の障害Ｆが修復されている間、ユーザデータＵＤの伝送は、このとき２倍のキャパシティを有する第１のパスＰ１によって保護される。
【００５５】
したがって、有利には、本発明のこの第１の実施形態によれば、トランスポートネットワークＴＮのリソースが、ユーザデータの伝送を保護するための先行技術の解決法によるよりも効率的な方法で使用される。実際には、先行技術の解決法によれば、両方のパス上のユーザデータの伝送を保護するための追加のリソースがアプリオリにトランスポートネットワークに割り当てられ、したがって障害が発生するまで使用されないが、この第１の実施形態によれば、ユーザデータの伝送を保護するための追加のリソースは、障害の検出の際にのみ、障害によって影響を受けないパス上に割り当てられる。実際には、通信システムが正常に動作している（すなわち、障害のない状態）間は、トランスポートネットワークではある量のリソースが２つのパスでユーザデータを伝送するために予約され、その最大伝送レート、すなわちＣでユーザデータの伝送ができるように調整される。２つのパスのうちの１つで障害が発生すると、障害の検出に応じて、障害によって影響を受けないパスに追加のリソースが割り当てられる。そして、障害が発生しない場合、使用されない追加のリソースは必要ではない。
【００５６】
障害Ｆが修復されるとき、通信システムの最初の設定が復元されることが好ましい。より具体的には、障害Ｆが修復されるとき、図１ｄに示すように、ネットワーク管理サーバＭＧＲはトランスポートネットワークＴＮから通知メッセージＮＭを受信する。通知メッセージＭＭは、好ましくは、例えば上記のＳＮＭＰ／ＱＢ３のような管理プロトコルによりフォーマットされる。
【００５７】
このような通知メッセージＮＭを受信すると、ネットワーク管理サーバＭＧＲは、好ましくは、第１のパスＰ１のキャパシティをその現在のキャパシティＣ（ユーザデータＵＤの最大伝送レートＣに等しい）からその最初の値Ｃ／２へ減少するようにトランスポートネットワークＴＮを動作させることによって、すなわち第１のパスＰ１に割り当てられるデータコンテナＤＣ１の数を半分にすることによって、障害状態から障害のない状態へ切り替える。好ましくは、トランスポートネットワークＴＮがＳＤＨ／ＳＯＮＥＴネットワークまたはＯＴＮネットワークであり、第１のパスＰ１上のデータコンテナＤＣ１が、ＬＣＡＳ機構も実装する上述のＶＣＡＴ技術によって割り当てられている場合、ネットワーク管理サーバＭＧＲは、好ましくは、トランスポートネットワークＴＮのエッジネットワーク要素で実行されるＬＣＡＳ機構を適切に動作させることによって、第１のパスＰ１に割り当てられるデータコンテナＤＣ１の数を半分にするようにトランスポートネットワークＴＮを誘導する。したがって、例えば、最大伝送レートＣが８．９６Ｇｂｉｔ／ｓであり、第２のパスＰ２が機能していないとき、６４個の高次バーチャルコンテナＶＣ−４が第１のパスＰ１（８．９６Ｇｂｉｔ／ｓのキャパシティＣを提供する）に割り当てられる場合、ネットワーク管理サーバＭＧＲは、第１のパスＰ１上に割り当てられる高次バーチャルコンテナＶＣ−４の数を６４から３２に減少するためにＬＣＡＳ機構を動作させる。これにより、第１のパスＰ１にその最初のキャパシティＣ／２、すなわち４．４８Ｇｂｉｔ／ｓを提供できるようにする。
【００５８】
次に、好ましくは、第１のパスＰ１上のキャパシティが減少された後、第１のユーザネットワークＵＮ１のネットワーク要素ＮＥ１−３に実装されたＥＣＭＰ機構は、第１のユーザネットワークＵＮ１の他のネットワーク要素から集められたユーザトラフィックＵＤを、エッジネットワーク要素ＮＥ１−１に転送される第１のデータ部分ＵＤ１とエッジネットワーク要素ＮＥ１−２に転送される第２のデータ部分ＵＮ２に再び分割するように、ネットワーク要素ＮＥ１−３を誘導する。ネットワーク管理サーバＭＧＲの介入後に、通信システムＣＳの動作は、そのため障害Ｆが発生する前と同じになる（図１ａ参照）。
【００５９】
図２ａから２ｄは、本発明の第２の実施形態によるユーザデータの伝送を保護するための方法を実装することができる通信システムＣＳ’を示す。
【００６０】
通信システムＣＳ’の構造は、実質的に図１ａから１ｄに示す通信システムＣＳの構造と同様である。したがって、詳細な説明は繰り返さない。唯一の違いは、トランスポートネットワークＴＮ’が上述のＡＳＴＮタイプの回線交換ネットワークである、すなわち、ネットワークで変化が起こったとき、トランスポートネットワークＴＮ’が自律的にパスを変更できるようにするＧＭＰＬＳ（「Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ」）機構を設けられることである。
【００６１】
通信システムＣＳ’が障害のない状態で正常に動作しているとき（図２ａ参照）、その動作は図１ａを参照して上述した通信システムＣＳ’の動作と同様である。したがって、詳細な説明は繰り返さない。
【００６２】
トランスポートネットワークＴＮ’において、例えば、（図２ｂに示すように）ユーザデータＵＤの第２のデータ部分ＵＤ２をトランスポートしている第２のパスＰ２に障害Ｆが発生するとき、この第２の実施形態により、トランスポートネットワークＴＮ’は、好ましくは、ネットワーク管理サーバＭＧＲのいかなる介入も必要とすることなく、ＧＭＰＬＳ機構を使用することによって第２のパスＰ２を変更する。例えば、図２ｃに示すように、トランスポートネットワークＴＮ’は、障害Ｆを迂回するパスの部分を割り当てられることが可能であり、すなわち、障害Ｆの上流に位置しているネットワーク要素で第２のパスＰ２を分岐し、障害Ｆの下流に位置しているネットワーク要素で再び第２のパスＰ２に加わり、変更された第２のパスＰ２’を形成するようにすることが可能である。ＧＭＰＬＳ機構はまた、好ましくは、障害Ｆを迂回するパスの部分が分岐し、再び第２のパスＰ２に加わるネットワーク要素の構成を変更し、したがって、第２のデータ部分ＵＤ２がマップされるデータコンテナＤＣ２は、このとき変更された第２のパスＰ２’に沿って伝送される。
【００６３】
障害Ｆを迂回するパスのこの部分には、この部分のキャパシティが、第２のパスＰ２のキャパシティ、すなわちＣ／２に等しくなるように、いくつかのデータコンテナが割り当てられる。この変更された第２のパスＰ２は、したがって第２のデータ部分ＵＤ２の伝送をサポートし続けることができる。
【００６４】
障害Ｆが修復されるとき（図２ｄ）、第２のデータ部分ＵＤ２は、変更された第２のパスＰ２’に沿って伝送され続けることが可能である。あるいは、障害Ｆが修復された後に、トランスポートネットワークＴＮ’のＧＭＰＬＳ機構は、データコンテナＤＣ２の伝送を初めに割り当てられたパスＰ２に戻すために修復された障害Ｆを迂回するパスの部分が分岐し、再び第２のパスＰ２に合流するネットワーク要素の構成を再び自動的に変更することができる。
【００６５】
図３ａから３ｄを参照して、次に、障害ＦがトランスポートネットワークＴＮ’の外、例えば第１のユーザネットワークＵＮ１のエッジネットワーク要素の１つ、例えば図３ｂに示すようにエッジネットワーク要素ＮＥ１−２で発生すると仮定する。
【００６６】
障害のない状態での通信システムＣＳ’の動作（図３ａ参照）は、図１ａを参照して上述した通信システムＣＳの動作と同様である。したがって、詳細な説明は繰り返さない。
【００６７】
障害Ｆが第１のユーザネットワークＵＮ１のエッジネットワーク要素ＮＥ１−２で発生するとき、障害ＦはトランスポートネットワークＴＮ’の外にあるので、ＧＭＰＬＳ機構は、ユーザデータＵＤの伝送を保護することができない。この第２の実施形態によれば、障害Ｆが検出されるとき（一般には、第２のパスＰ２に沿った障害Ｆの下流でトランスポートネットワークＴＮ’のネットワーク要素によって）、トランスポートネットワークＴＮ’は、好ましくはネットワーク管理サーバＭＧＲに障害を通知する。このために、障害Ｆを検出するネットワーク要素は、好ましくは図３ｂに示すように、ネットワーク管理サーバＭＧＲに警告メッセージＡＭを送信する。この第２の実施形態でも、警告メッセージＡＭは、好ましくは、例えば上記のＳＮＭＰ／ＱＢ３のような管理プロトコルによりフォーマットされる。
【００６８】
トランスポートネットワークＴＮ’から警告メッセージＡＭを受信すると、ネットワーク管理サーバＭＧＲは、好ましくは、第１のパスＰ１のキャパシティをその現在のキャパシティＣ／２からユーザデータＵＤの最大伝送レートＣへ増大するようにトランスポートネットワークＴＮを動作させることによって、すなわち第１のパスＰ１に割り当てられたデータコンテナＤＣ１の数を２倍にすることによって、障害のない状態から障害状態へ切り替える。好ましくは、やはりこの第２の実施形態によれば、トランスポートネットワークＴＮ’がＳＤＨ／ＳＯＮＥＴネットワークまたはＯＴＮネットワークであり、第１のパスＰ１上のデータコンテナＤＣ１が、上述のＶＣＡＴ技術（ＬＣＡＳ機構も実装する）によって割り当てられている場合、ネットワーク管理サーバＭＧＲは、好ましくは、トランスポートネットワークＴＮ’のエッジネットワーク要素によって実行されるＬＣＡＳ機構を適切に動作させることによって第１のパスＰ１に割り当てられるデータコンテナＤＣ１の数を２倍にするようにトランスポートネットワークＴＮ’を誘導する。
【００６９】
次いで、第１のパスＰ１のキャパシティが増大された後、障害状態では、第１のユーザネットワークＵＮ１のネットワーク要素ＮＥ１−３で実装されたＥＣＭＰ機構は、第１のユーザネットワークＵＮ１の他のネットワーク要素から集められたすべてのユーザトラフィックＵＤを、エッジネットワーク要素ＮＥ１−１、すなわち障害Ｆによって影響を受けていないパスに接続されたエッジネットワーク要素に転送するように、ネットワーク要素ＮＥ１−３を誘導する。
【００７０】
したがって、有利には、ネットワーク管理サーバＭＧＲの介入後、やはりこの第２の実施形態により、障害状態では第１のユーザネットワークＵＮ１のネットワーク要素ＮＥ１−３で集められたユーザデータＵＤは、図３ｃに示すように、すべてネットワーク要素ＮＥ１−１に転送され、ネットワーク要素ＮＥ１−１がこれを第１のパスＰ１に沿って伝送する。第１のパスＰ１はこのとき、ユーザデータＵＤの実際の伝送レートが最大伝送レートＣに等しいときでも、全ユーザデータＵＤの伝送をサポートすることができる。したがって、やはりこの第２の実施形態により、第２のパスＰ２上の障害Ｆが修復されている間、ユーザデータＵＤの伝送は、現在２倍のキャパシティを有する第１のパスＰ１によって保護される。
【００７１】
障害Ｆが修復されるとき、通信システムＣＳ’の最初の構成が復元されることが好ましい。より具体的には、障害Ｆが修復されるとき、図３ｄに示すように、ネットワーク管理サーバＭＧＲはトランスポートネットワークＴＮ’から通知メッセージＮＭを受信する。好ましくは、通知メッセージＮＭは、例えば上記のＳＮＭＰ／ＱＢ３のような管理プロトコルによりフォーマットされる。
【００７２】
このような通知メッセージＮＭを受信すると、ネットワーク管理サーバＭＧＲは、好ましくは、第１のパスＰ１のキャパシティをその現在のキャパシティＣ（ユーザデータＵＤの最大伝送レートＣに等しい）からその最初の値Ｃ／２へ減少するようにトランスポートネットワークＴＮを動作させることによって、すなわち第１のパスＰ１に割り当てられるデータコンテナＤＣ１の数を半分にすることによって、障害状態から障害のない状態へ切り替える。好ましくは、トランスポートネットワークＴＮ’がＳＤＨ／ＳＯＮＥＴネットワークまたはＯＴＮネットワークであり、第１のパスＰ１上のデータコンテナＤＣ１が、ＬＣＡＳ機構も実装する上述のＶＣＡＴ技術によって割り当てられている場合、ネットワーク管理サーバＭＧＲは、好ましくは、トランスポートネットワークＴＮ’のエッジネットワーク要素で実行されるＬＣＡＳ機構を適切に動作させることによって、第１のパスＰ１上に割り当てられたデータコンテナＤＣ１の数を半分にするようにトランスポートネットワークＴＮ’を動作させる。
【００７３】
その後、好ましくは、第１のパスＰ１上のキャパシティが減少された後、第１のユーザネットワークＵＮ１のネットワーク要素ＮＥ１−３で実装されているＥＣＭＰ機構は、第１のユーザネットワークＵＮ１の他のネットワーク要素から集められたユーザトラフィックＵＤを、エッジネットワーク要素ＮＥ１−１に転送される第１のデータ部分ＵＤ１と、エッジネットワーク要素ＮＥ１−２に転送される第２のデータ部分ＵＮ２とに再び分割するように、ネットワーク要素ＮＥ１−３を誘導する。
【００７４】
したがって、有利には、この第２の実施形態により、トランスポートネットワークにおけるユーザデータの伝送を保護するための機構は、ＡＴＳＮタイプのトランスポートネットワークＴＮ’のＧＭＰＬＳ機構を補完する。実際には、トランスポートネットワークＴＮ’内で障害Ｆが発生するとき、ＧＭＰＬＳ機構は、ネットワーク管理サーバＭＧＲのいかなる介入も要求することなく、ユーザトラフィックの伝送を保護するためのアクションを起こす。他方、有利には、トランスポートネットワークＴＮ’の外で障害が発生するとき、ネットワーク管理サーバＭＧＲは、障害のないパスのキャパシティを増大するためにトランスポートネットワークＴＮ’を適切に動作させ、したがってトランスポートネットワークＴＮ’はユーザデータの伝送を保護できるようにする。
【００７５】
様々な上述の方法の諸ステップは、プログラムされたコンピュータによって実行されることが可能であることを、当業者は容易に理解するであろう。本明細書では、いくつかの実施形態は、例えばデジタルデータ記憶媒体など、プログラム記憶装置を含むものとし、これは機械またはコンピュータ可読であり、命令の機械実行可能もしくはコンピュータ実行可能プログラムをエンコードし、上記命令が本明細書に記載した方法のステップの一部または全部を行う。プログラム記憶装置は、例えば、デジタルメモリ、磁気ディスクおよび磁気テープなどの磁気記憶媒体、ハードドライブ、または光学式可読デジタルデータ記憶媒体であることが可能である。諸実施形態はまた、本明細書に記載した方法の上記諸ステップを実行するようにプログラムされたコンピュータを含むものとする。
【図１ａ】
2012526436.tif 000003
【図１ｂ】
2012526436.tif 000004
【図１ｃ】
2012526436.tif 000005
【図１ｄ】
2012526436.tif 000006
【図２ａ】
2012526436.tif 000007
【図２ｂ】
2012526436.tif 000008
【図２ｃ】
2012526436.tif 000009
【図２ｄ】
2012526436.tif 000010
【図３ａ】
2012526436.tif 000011
【図３ｂ】
2012526436.tif 000012
【図３ｃ】
2012526436.tif 000013
【図３ｄ】
2012526436.tif 000014
【国際調査報告】
2012526436.tif 000015
2012526436.tif 000016